(57)【要約】【課題】従来のリードフレームのテープ貼り装置は、固定用テープの位置ずれを生じリードフレームに正確にテープを貼ることができなかった。【解決手段】本発明のリードフレームのテープ貼り装置は、リードフレームを載置するヒーターブロックと、このヒーターブロックに対向せしめた、加熱接着層を有する固定用テープのガイドと、上記ヒーターブロックに対向する上記ガイドの面に設けたダイスと、このダイスを挿通して移動自在なパンチと、上記ガイドを常時上記ヒーターブロックから離間する方向に抑制する手段と、上記パンチと上記ガイドを上記ヒーターブロックに向って移動自在ならしめる手段とに構成する。上記ダイスは、上記ダイスと上記リードフレームとの間の距離が上記固定用テープの厚さより大きくかつ０．５ｍｍ以下となるまで下降する。【選択図】　図１
2004128068.tif 000002
【特許請求の範囲】
【請求項１】
リードフレームを載置するヒーターブロックと、このヒーターブロックに対向せしめた、固定用テープのガイドと、上記ヒーターブロックに対向する上記ガイドの面に設けたダイスと、このダイスを挿通して移動自在なパンチと、上記ガイドを常時上記ヒーターブロックから離間する方向に抑制する手段と、上記パンチと上記ガイドを上記ヒーターブロックに向って移動自在ならしめる手段とより成ることを特徴とするリードフレームの固定用テープ貼り装置。
【請求項２】
固定プレートと、この固定プレートに上下動自在に設けたストリッパーと、上記ストリッパーの下部に設けたダイスと、上記ダイスにより保持した、加熱接着層を有する固定用テープを所定の形状に打ち抜くパンチと、上記パンチを上記ストリッパー及びダイスを通して上記上下動せしめる手段と、上記固定プレートに相対的に上記ストリッパーが下方へ移動することを規制する手段と、上記固定プレートに相対的に上記ストリッパーが上方へ移動することを規制する手段と、上記ストリッパーを上記固定プレートに相対的に常時上方に押圧する手段と、上記ストリッパーを上記固定プレートに相対的に下方に押圧せしめる手段と、上記ダイスの下方に配置した、リードフレームを載置するヒーターブロックとより成ることを特徴とするリードフレームの固定用テープ貼り装置。
【請求項３】
上記ダイスと上記ヒーターブロック上に載置されたリードフレームとの間の間隔が上記固定用テープの厚さより大きくかつ０．５ｍｍ以下となるまで上記ダイスが下降することを特徴とする請求項２記載のリードフレームの固定用テープ貼り装置。
【請求項４】
上記ダイスと上記ヒーターブロック上に載置されたリードフレームとの間の間隔が少なくとも２ｍｍとなるよう上記ダイスが上昇することを特徴とする請求項２または３記載のリードフレームの固定用テープ貼り装置。
【請求項５】
テープを所定形状に打ち抜きリードフレーム上面に貼り付ける方法であって、リードフレームに対し上下動自在に設けたストリッパーとダイスを制御することでリードフレーム上面と対向するダイス下面の間隔がテープの厚さより大きくかつ０．５ｍｍ以下となる迄可動式ダイスの下降を調整し、リードフレーム固定用テープを打ち抜き、リードフレーム上面に接触させ、ヒーターブロックで加熱しリードフレームに貼り付けることを特徴とするリードフレームの固定用テープの貼り付け方法。
【発明の詳細な説明】
【０００１】
【発明の属する技術分野】
本発明はリードフレームの固定用テープ貼り装置及び貼り付け方法、特にリードフレームに正確に固定用テープを熱圧着するリードフレームの固定用テープ貼り装置及び貼り付け方法に関するものである。
【０００２】
【従来の技術】
半導体搭載用リードフレームは、リード変形を防止するため、固定用テープをリードフレームに貼り付けている。また、加熱接着層を有する約５０μの厚さの固定用テープを打ち抜いて、その固定用テープをリードフレームに熱圧着するリードフレームの固定用テープ貼り装置が知られている。
【０００３】
図５は上記従来のリードフレームの固定用テープ貼り装置を示し、１は作業台、２は上記作業台１に固定したプレート、３は上記固定プレート２によって保持したストリッパーまたはテープガイド、４は上記ストリッパー３の下部に設けたダイス、５は上記ダイス４上に保持され、上記ストリッパー３を通して間欠的に送られる加熱接着層を有する固定用テープ、６は上記固定用テープ５を所定の形状に打ち抜くパンチ、７は上記パンチ６を有する上型、８は上記固定プレート２に固定した、上記上型７を上記固定プレート２に対して相対的に上下動せしめるシリンダー、９は上記ダイス４の下方において上記作業台１に固定したヒーターブロック、１０は上記ヒーターブロック９上に載置したリードフレームである。
【０００４】
上記従来のリードフレームの固定用テープ貼り装置においては、リードフレーム１０をリードフレーム移送装置（図示せず）により、ヒーターブロック９上の所定の位置に移送し、固定用テープ５をテープ移送装置（図示せず）により上記ストリッパー３を通して上記ダイス４上に移送し、上記シリンダー８を駆動して上記上型７を下降せしめて、上記パンチ６により上記固定用テープ５を所定の形状に打ち抜き、これをリードフレーム１０に押圧せしめて熱圧着する。
【０００５】
【発明が解決しようとする課題】
然しながら、上記従来のリードフレームの固定用テープ貼り装置においては、リードフレーム移送の際に、上記リードフレーム１０が上記ダイス４に接触し傷がつかないように図６に示すように、上記リードフレーム１０の上面とダイス４の下面間に２ｍｍ程度の間隔を設けているが、この間隔が大きいため上記パンチ６により打ち抜かれた固定用テープ５が上記リードフレーム１０に接触する途中で固定用テープ５の位置がパンチ６の底面からずれてしまい、リードフレーム１０に正確に接着することができない恐れがあった。
【０００６】
その為、パンチの底面にサクションホールを設け、真空圧を用いて固定用テープを吸着させて固定用テープの位置ずれを防ぐ方法や、特開平１０−２２９１５４号公報記載のように、固定用テープ接着の際ダイスをリードフレームに対して固定用テープの厚さ以下に接近する位置迄下降せしめ、打ち抜かれた固定用テープの厚さ方向の上部半分が上記ダイスの案内溝内に残る状態で、上記固定用テープを上記リードフレームに圧接する方法があるが、前者の方法では、真空圧が弱い場合には固定用テープがずれたり、貼り付けるテープの大きさによってはサクションホールを設けることができないことがあり、また、後者の方法では、ダイスがリードフレームに接近しすぎることにより、両者が接触したりダイスに接着剤が付着したり、ダイスに固定用テープがつまるという欠点があった。
【０００７】
本発明は上記のような欠点を除くようにしたものである。
【０００８】
【課題を解決するための手段】
本発明のリードフレームの固定用テープ貼り装置は、リードフレームを載置するヒーターブロックと、このヒーターブロックに対向せしめた、固定用テープのガイドと、上記ヒーターブロックに対向する上記ガイドの面に設けたダイスと、このダイスを挿通して移動自在なパンチと、上記ガイドを常時上記ヒーターブロックから離間する方向に抑制する手段と、上記パンチと上記ガイドを上記ヒーターブロックに向って移動自在ならしめる手段とより成ることを特徴とする。
【０００９】
また、本発明のリードフレームの固定用テープ貼り装置は、固定プレートと、この固定プレートに上下動自在に設けたストリッパーと、上記ストリッパーの下部に設けたダイスと、上記ダイスにより保持した、加熱接着層を有する固定用テープを所定の形状に打ち抜くパンチと、上記パンチを上記ストリッパー及びダイスを通して上記上下動せしめる手段と、上記固定プレートに相対的に上記ストリッパーが下方へ移動することを規制する手段と、上記固定プレートに相対的に上記ストリッパーが上方へ移動することを規制する手段と、上記ストリッパーを上記固定プレートに相対的に常時上方に押圧する手段と、上記ストリッパーを上記固定プレートに相対的に下方に押圧せしめる手段と、上記ダイスの下方に配置した、リードフレームを載置するヒーターブロックとより成ることを特徴とする。
【００１０】
上記ダイスと上記ヒーターブロック上に載置されたリードフレームとの間の間隔が上記固定用テープの厚さより大きくかつ０．５ｍｍ以下となるまで上記ダイスが下降することを特徴とする。
【００１１】
また、上記ダイスと上記ヒーターブロック上に載置されたリードフレームとの間の間隔は、少なくとも２ｍｍとなるよう上記ダイスが上昇することを特徴とする。
【００１２】
また、本発明のリードフレームの固定用テープ貼り付け方法は、テープを所定形状に打ち抜きリードフレーム上面に貼り付ける方法であって、リードフレームに対し上下動自在に設けたストリッパーとダイスを制御することでリードフレーム上面と対向するダイス下面の間隔がテープの厚さより大きくかつ０．５ｍｍ以下となる迄可動式ダイスの下降を調整し、リードフレーム固定用テープを打ち抜き、リードフレーム上面に接触させ、ヒーターブロックで加熱しリードフレームに貼り付けることを特徴とする。
【００１３】
【発明の実施の形態】
以下図面によって本発明の実施例を説明する。
【００１４】
図６と、同一部分には同一符号を付し、その説明は省略する。
【００１５】
本発明のリードフレームの固定用テープ貼り装置においては、図１に示すように、固定プレート２によってストリッパー３を上下動自在に保持せしめるとともに、上記ストリッパー３の上部及び中間部に、夫々上記固定プレート２の上面及び下面に夫々対向し、上記固定プレート２に対して相対的に上記ストリッパー３の下方又は上方への移動を規制する上部ストッパー１１及び下部ストッパー１２を設け、上記固定プレート２の上面の上記上部ストッパー１１に対向する位置に上記ストリッパー３を上記固定プレート２に相対的に常時上方に押圧せしめるプッシャー１３及びバネ１４を上記固定プレート２に設け、上記ストリッパー３の上方に位置する上型７にはプッシャー１５と、このプッシャー１５を常時上記上型７の下面から下方に突出せしめるバネ１６とを設ける。
【００１６】
また、上記ストリッパー３が上記プッシャー１３によって上記固定プレート２に対して相対的に上昇された時、ダイス４と上記リードフレーム１０との間の距離が２ｍｍ程度となるように、上記ストリッパー３に設ける上記下部ストッパー１２の位置を定める。
【００１７】
また、上記ストリッパー３を上記プッシャー１５を介して上記上型７によって上記固定プレート２に相対的に下降せしめた時、上記ダイス４と上記リードフレーム１０との間の距離が上記固定用テープの厚さより大きくかつ０．５ｍｍ以下となるように、上記ストリッパー３に設ける上記上部ストッパー１１の位置を定める。
【００１８】
なお、上記プッシャー１３を付勢するバネ１４の力は上記プッシャー１５を付勢するバネ１６の力より弱く設定せしめる。
【００１９】
本発明のリードフレームの固定用テープ貼り装置は上記のような構成であるから、上記ストリッパー３が上記固定プレート２に対してプッシャー１３によって相対的に上昇されて、上記ダイス４と上記リードフレーム１０との間の距離が２ｍｍ程度となっている状態で、図１に示すように、リードフレーム移送装置（図示せず）及び固定用テープ移動装置（図示せず）により、リードフレーム１０及び固定用テープ５を所定の位置に移送し配置せしめる。なお、１７は固定用テープ５のガイドである。
【００２０】
上記ダイス４とリードフレーム１０との間の距離を少なくとも２ｍｍとすることによりリードフレーム移送時にダイスと接触することがなく、リードフレームにキズがつくことはない。次に、シリンダー８により上記上型７を下降せしめれば、図２に示すように、上記プッシャー１５の先端が上記ストリッパー３の上面に接触し、上記パンチ６の下端が略固定用テープ５の上部に達するようになる。
【００２１】
更に、上記上型７を下降せしめれば、図３に示すように、上記ストリッパー３は上記プッシャー１５に押圧されて、上記上部ストッパー１１が上記固定プレート２に接触するまで、上記上型７と共に下降し、上記ダイス４と上記リードフレーム１０との間の距離が０．１ｍｍから０．５ｍｍの間となる。
【００２２】
更に、上記上型７を下降せしめれば、図４に示すように、上記パンチ６により所定の形に固定用テープ５が打ち抜かれ、上記リードフレーム１０に押圧され、ヒーターブロック９により加熱されたリードフレーム１０に熱圧着される。ダイスとリードフレームの表面が０．１ｍｍ〜０．５ｍｍの範囲であれば、ダイスからテープが離れてリードフレームに貼り付けられるまでの距離が小さいため、テープの貼り付け位置はズレることがない。更に、テープの厚さは通常５０μｍ程度でありダイスから完全に突出した状態で貼り付くため、ダイスにテープの接着剤の付着やつまりといった不具合は起こらない。
【００２３】
上記打ち抜かれた固定用テープ５がリードフレーム１０に接着された後、上記シリンダー８により上記上型７を上昇せしめれば、上記ストリッパー３はバネ１４の力で上昇し、上記ダイス４と上記リードフレーム１０との間の距離は２ｍｍ程度となり、この状態で、リードフレーム移送装置（図示せず）及び固定用テープ移動装置（図示せず）により、リードフレーム及び固定用テープを移動し所定の位置に配置せしめ、上記と同様の操作で順次、固定用テープ５をリードフレーム１０に接着せしめていく。
【００２４】
【発明の効果】
本発明のリードフレームの固定用テープ貼り装置及び方法においては、リードフレームに対してダイスを上下動自在ならしめたので、リードフレームを移送する場合にはその移送路からダイスが十分離間でき、リードフレームが移送時に傷つくことなく、また、固定用テープを貼り付ける時にはダイスが下降ダイスとリードフレームとの間の距離が上記固定用テープの厚さより大きくかつ０．５ｍｍ以下となるようにしており、固定用テープの位置ずれを殆んど防止することができ、また、ダイスとリードフレームが接近しすぎない事により、ダイスに接着剤が付着することがない。
【００２５】
また、リードフレームに固定用テープを貼り付ける時には、固定用テープがダイスより下方に突出しているので、ダイス詰まりがない等大きな利益がある。
【図面の簡単な説明】
【図１】本発明のリードフレームの固定用テープ貼り装置の縦断側面図である。
【図２】本発明のリードフレームの固定用テープ貼り装置の説明用縦断側面図である。
【図３】本発明のリードフレームの固定用テープ貼り装置の説明用縦断側面図である。
【図４】本発明のリードフレームの固定用テープ貼り装置の説明用縦断側面図である。
【図５】従来のリードフレームの固定用テープ貼り装置の説明用縦断側面図である。
【図６】従来のリードフレームの固定用テープ貼り装置の説明用縦断側面図である。
【符号の説明】
１　作業台
２　固定用プレート
３　ストリッパー
４　ダイス
５　テープ
６　パンチ
７　上型
８　シリンダー
９　ヒーターブロック
１０　リードフレーム
１１　上部ストッパー
１２　下部ストッパー
１３　プッシャー
１４　バネ
１５　プッシャー
１６　バネ
１７　ガイド
【図１】
2004128068.tif 000003
【図２】
2004128068.tif 000004
【図３】
2004128068.tif 000005
【図４】
2004128068.tif 000006
【図５】
2004128068.tif 000007
【図６】
2004128068.tif 000008